(57)【要約】【課題】呼切断前の呼状態を自動で復元し、ユーザの利便性を向上する技術を提供する。【解決手段】無線通信装置は、記憶部と、処理部と、検索部と、待受部と、復元部とを備える。記憶部は、情報を記憶する。処理部は、呼切断前の呼状態を記憶部に記憶させる処理をする。検索部は、呼切断が発生したとき、通信可能な基地局を検索する。待受部は、検索部により発見された通信可能な基地局で待ち受けをする。復元部は、呼切断が発生したあと、待受部により待ち受けが開始されたとき、記憶部に記憶されている呼状態を復元する。【選択図】図２
2016146559.tif 000002
【特許請求の範囲】
【請求項１】
情報を記憶する記憶部と、
呼切断前の呼状態を前記記憶部に記憶させる処理をする処理部と、
呼切断が発生したとき、通信可能な基地局を検索する検索部と、
前記検索部により発見された通信可能な基地局で待ち受けをする待受部と、
呼切断が発生したあと、前記待受部により待ち受けが開始されたとき、前記記憶部に記憶されている呼状態を復元する復元部と、
を備えることを特徴とする無線通信装置。
【請求項２】
前記処理部は、
前記呼状態と呼の宛先とを関連付けて前記記憶部に記憶させる処理をし、
前記復元部は、
前記呼切断が発生したあと、前記待受部により待ち受けが開始されたとき、前記記憶部に保留中を示す保留中状態が記憶されていると、前記保留中状態に関連付けられた宛先に呼を送信し、呼の確立後に呼を保留する
ことを特徴とする請求項１に記載の無線通信装置。
【請求項３】
前記処理部は、
前記呼状態と呼の宛先とを関連付けて前記記憶部に記憶させる処理をし、
前記復元部は、
呼切断が発生したあと、前記待受部により待ち受けが開始されたとき、前記記憶部に通話中を示す通話中状態、または確立中を示す確立中状態が記憶され、さらに前記記憶部に保留中を示す保留中状態が記憶されていると、前記保留中状態に関連付けられた宛先に呼を送信し、呼の確立後に呼を保留し、前記通話中状態、または前記確立中状態に関連付けられた宛先に呼を送信する
ことを特徴とする請求項１または２に記載の無線通信装置。
【請求項４】
前記復元部は、
前記呼の確立後に、呼を保留することをユーザに通知したあと、呼を保留する
ことを特徴とする請求項２に記載の無線通信装置。
【請求項５】
前記無線通信装置は、さらに、
前記呼の確立後に、呼を保留するか、呼を通話中とするかのユーザからの指示を受け付ける受付部
を備え、
前記復元部は、
前記呼の確立後に、呼の状態を、前記受付部により受け付けられた呼状態にする
ことを特徴とする請求項２または４に記載の無線通信装置。
【請求項６】
前記記憶部は、
前記呼の確立後に、呼を保留するか、呼を通話中とするかの設定を格納した第１設定情報を記憶し、
前記復元部は、
前記呼の確立後に、呼の状態を、前記記憶部に記憶された第１設定情報に設定された呼状態にする
ことを特徴とする請求項２または４に記載の無線通信装置。
【請求項７】
前記無線通信装置は、さらに、
着信した呼の呼切断が発生したとき、呼状態を復元するか否かの指示を受け付ける受付部
を備え、
前記復元部は、
着信した呼の呼切断が発生したあと、前記受付部により、前記呼状態を復元することが受け付けられたとき、着信した前記呼の呼状態を復元する
ことを特徴とする請求項１〜６のいずれか一つに記載の無線通信装置。
【請求項８】
前記記憶部は、
着信した呼の呼状態を復元するか否かの設定を格納した第２設定情報を記憶し、
前記復元部は、
着信した呼の呼切断が発生したとき、前記記憶部に記憶された第２設定情報に着信した呼の呼状態の復元することが設定されていると、着信した前記呼の呼状態を復元する
ことを特徴とする請求項１〜６のいずれか一つに記載の無線通信装置。
【請求項９】
前記記憶部は、
通信先の無線通信装置の宛先を記憶し、
前記復元部は、
着信した呼の呼切断が発生したとき、前記記憶部に記憶された宛先の中に、前記着信した呼の発信元の宛先があると、着信した前記呼の呼状態を復元する
ことを特徴とする請求項１〜６のいずれか一つに記載の無線通信装置。
【請求項１０】
前記無線通信装置は、さらに、
第１規格で無線通信を行う第１通信網から第２規格で無線通信を行う第２通信網へハンドオーバを実行し、無線通信を行う通信網を切替える切替部
を備え、
前記検索部は、
前記第１通信網から前記第２通信網へハンドオーバを実行したとき、呼切断が発生すると、通信可能な基地局を検索する
ことを特徴とする請求項１〜９のいずれか一つに記載の無線通信装置。
【請求項１１】
無線通信装置のコンピュータにより実行される無線通信方法であって、
前記コンピュータは、
呼切断前の呼状態を記憶部に記憶させ、
呼切断が発生したとき、通信可能な基地局を検索し、
前記検索部により発見された通信可能な基地局で待ち受けをし、
前記記憶部に記憶されている呼状態を復元する
ことを特徴とする無線通信方法。
【請求項１２】
呼切断前の呼状態を記憶部に記憶させ、
呼切断が発生したとき、通信可能な基地局を検索し、
前記検索部により発見された通信可能な基地局で待ち受けをし、
前記記憶部に記憶されている呼状態を復元する
処理をコンピュータに実行させることを特徴とする無線通信プログラム。
【発明の詳細な説明】
【技術分野】
【０００１】
本発明は、無線通信装置、無線通信方法、および無線通信プログラムに関する。
【背景技術】
【０００２】
ＬＴＥ上で音声サービスを提供するＶｏＬＴＥには、ＬＴＥ網の無線品質が悪化すると、非ＬＴＥ網に端末を遷移させ、音声サービスを継続するＳＲＶＣＣ機能が用いられている。ＬＴＥは、Ｌｏｎｇ  Ｔｅｒｍ  Ｅｖｏｌｕｔｉｏｎの略である。ＶｏＬＴＥは、Ｖｏｉｃｅ  ｏｖｅｒ  Ｌｏｎｇ  Ｔｅｒｍ  Ｅｖｏｌｕｔｉｏｎの略であり、音声通話をパケット通信として提供する技術である。ＳＲＶＣＣは、Ｓｉｎｇｌｅ  Ｒａｄｉｏ  Ｖｏｉｃｅ  Ｃａｌｌ  Ｃｏｎｔｉｎｕｉｔｙの略である。
【０００３】
関連する他の技術として、ｅＮＢは、ハンドオーバ制御部を備える。そして、ハンドオーバ制御部は、ＬＴＥシステムと、ＶｏＩＰベアラとＶｏＩＰに用いない他の通信ベアラとを設定し、接続されている移動機の接続先を、３Ｇシステムに切り替える。このとき、ハンドオーバ制御部は、ＶｏＩＰベアラのＶｏＩＰに用いない他のベアラに対する優先度に基づいて、ＳＲＶＣＣにより３ＧシステムにおけるＣＳベアラに置換されるＶｏＩＰのみをハンドオーバさせる。そして、ハンドオーバ制御部は、ＶｏＩＰに用いない他のベアラをハンドオーバさせない技術が知られている。ｅＮＢは、Ｅｖｏｌｖｅｄ  Ｎｏｄｅ  Ｂの略である。ＶｏＩＰは、Ｖｏｉｃｅ  ｏｖｅｒ  ＩＰの略である。ＣＳは、Ｃｉｒｃｕｉｔ  Ｓｗｉｔｃｈｅｄの略である。
【０００４】
また、関連する他の技術として、パケット交換ドメインと回線交換ドメインとの間のユーザ端末のハンドオーバを標示する。単一無線音声通信継続開始イベントを検出する。サービング無線ネットワークサブシステムの再配置手順に合致するように、制御プレーンのシグナリング無線ベアラを一時停止する。一時停止されたシグナリング無線ベアラをリセットする。ハンドオーバされるドメインにおける一時停止されたシグナリング無線ベアラを再開する。ハンドオーバされるドメインの暗号ユーザプレーン無線アクセスベアラに使用される、同一のマッピングされたセキュリティ鍵を使用し、ハンドオーバされるドメインの制御プレーンのシグナリング無線ベアラを保護することを含む、再開する技術が知られている（例えば、特許文献１、または特許文献２）。
【先行技術文献】
【特許文献】
【０００５】
【特許文献１】特開２０１２−１８６８５５号公報
【特許文献２】特開２０１３−５３２４０４号公報
【発明の概要】
【発明が解決しようとする課題】
【０００６】
前述した呼制御技術を有する無線通信装置では、例えば、ＬＴＥ網から３Ｇ網へのハンドオーバをするとき、無線通信装置、または網側が、ＳＲＶＣＣの対象としてサポートしていない呼状態について、ＳＲＶＣＣが実行されずに呼切断となることがある。
【０００７】
本発明は、一側面として、呼切断前の呼状態を自動で復元し、ユーザの利便性を向上する技術を提供する。
【課題を解決するための手段】
【０００８】
本明細書で開示する無線通信装置のひとつに、記憶部と、処理部と、検索部と、待受部と、復元部とを備える無線通信装置がある。記憶部は、情報を記憶する。処理部は、呼切断前の呼状態を記憶部に記憶させる処理をする。検索部は、呼切断が発生したとき、通信可能な基地局を検索する。待受部は、検索部により発見された通信可能な基地局で待ち受けをする。復元部は、呼切断が発生したあと、待受部により待ち受けが開始されたとき、記憶部に記憶されている呼状態を復元する。
【発明の効果】
【０００９】
１実施態様によれば、呼切断前の呼状態を自動で復元し、ユーザの利便性を向上することができる。
【図面の簡単な説明】
【００１０】
【図１】無線通信網の一実施例を示す図である。
【図２】無線通信装置の一実施例を示す機能ブロック図である。
【図３】状態情報の一例を示す図である。
【図４】選択するための情報の表示の一例を示す図である。
【図５】ＬＴＥ網内での通話継続処理を示すシーケンス図（その１）である。
【図６】ＬＴＥ網内での通話継続処理を示すシーケンス図（その２）である。
【図７】他ＲＡＴへの再接続を示すフローチャートである。
【図８】切断呼復元処理を示すフローチャート（その１）である。
【図９】切断呼復元処理を示すフローチャート（その２）である。
【図１０】コンピュータ装置の一実施例を示すブロック図である。
【発明を実施するための形態】
【００１１】
［実施形態］
実施形態の無線通信装置について説明する。
【００１２】
図１は、無線通信網を示す図である。
図１を参照して他ＲＡＴ間のハンドオーバと、ハンドオーバ時に発生する呼切断について説明する。ハンドオーバとは、移動局と無線通信する基地局をユーザの移動中に切替える処理である。ＲＡＴとは、３Ｇ（３ｒｄ  Ｇｅｎｅｒａｔｉｏｎ）、およびＬＴＥ（Ｌｏｎｇ  Ｔｅｒｍ  Ｅｖｏｌｕｔｉｏｎ）などの無線アクセス技術の総称であり、Ｒａｄｉｏ  Ａｃｃｅｓｓ  Ｔｅｃｈｎｏｌｏｇｙの略である。移動局とは、携帯電話、およびスマートフォンなどの端末のことである。また、移動局のことは、無線通信装置とも言う。基地局とは、ＬＴＥ網または３Ｇ網と、移動局とが無線通信をするとき、ＬＴＥ網または３Ｇ網と、移動局との間の無線通信を中継する無線局である。ＬＴＥ網または３Ｇ網が基地局を介して移動局と無線通信することを、単にＬＴＥ網または３Ｇ網と、移動局との無線通信とも言う。無線通信は、単に通信とも言う。
【００１３】
以下の説明では、ＬＴＥ網の基地局と無線通信している移動局が、３Ｇ網の基地局との無線通信に遷移するハンドオーバを一例として、他ＲＡＴ間のハンドオーバを説明する。移動局は、ユーザが所持し、ユーザの移動に伴って移動しているものとする。
【００１４】
無線通信網１００は、ＬＴＥ網２００と、３Ｇ網３００と、コアネットワーク４００とを含む。
【００１５】
ＬＴＥ網２００は、ＬＴＥセル２０１と、ｅＮＢ２０２とを含み、コアネットワーク４００と通信接続される。ｅＮＢ２０２は、ＬＴＥ網２００で用いられる基地局であり、Ｅｖｏｌｖｅｄ  ｎｏｄｅＢ２０２の略である。ＬＴＥセル２０１は、ｅＮＢ２０２がカバーする通信エリアのことである。
【００１６】
３Ｇ網３００は、３Ｇセル３０１と、ＮＢ３０２とを含み、コアネットワーク４００と通信接続される。ＮＢ３０２とは、３Ｇ網３００で用いられる基地局であり、ＮｏｄｅＢ３０２の略である。３Ｇセル３０１は、ＮＢ３０２がカバーする通信エリアのことである。
【００１７】
コアネットワーク４００は、ＬＴＥ網２００、および３Ｇ網３００と通信接続され、大容量のデータを通信する回線である。
【００１８】
図１に示すように、無線通信装置３は、ＬＴＥセル２０１から３Ｇセル３０１に移動したとき、ＬＴＥ網２００との無線通信の状態が悪化すると、無線通信装置３の無線通信を、３Ｇ網３００を用いた無線通信に遷移させ、音声サービスを継続する。このとき、無線通信装置３と無線通信網１００とは、例えば、ＳＲＶＣＣ機能を用いたハンドオーバを行なう。
【００１９】
ＳＲＶＣＣ機能のサポート要件は、３ＧＰＰのＲｅｌｅａｓｅ毎に異なる。したがって、無線通信装置３、および無線通信網１００における３ＧＰＰのＲｅｌｅａｓｅが異なるとき、ＳＲＶＣＣ機能での音声サービスの継続がサポートされる呼状態も異なるため、呼切断時にＳＲＶＣＣが起動せず、そのまま呼切断となることがある。
【００２０】
なお、無線通信装置３、および無線通信網１００における３ＧＰＰのＲｅｌｅａｓｅが異なるとき、例えば、無線通信装置１のＳＲＶＣＣ機能がサポートする呼状態に対して、無線通信網１００のＳＲＶＣＣ機能のサポートする呼状態が少ないことがある。また、無線通信装置３、および無線通信網１００における３ＧＰＰのＲｅｌｅａｓｅが異なるとき、例えば、無線通信網１００のＳＲＶＣＣ機能のサポートする呼状態に対して、無線通信装置１のＳＲＶＣＣ機能がサポートする呼状態が少ないことがある。以下の説明では、無線通信装置１のＳＲＶＣＣ機能がサポートする呼状態に対して、無線通信網１００のＳＲＶＣＣ機能のサポートする呼状態が少ないものとして説明する。
【００２１】
３ＧＰＰとは、Ｔｈｉｒｄ  Ｇｅｎｅｒａｔｉｏｎ  Ｐａｒｔｎｅｒｓｈｉｐ  Ｐｒｏｊｅｃｔの略である。呼状態は、例えば、保留中の呼、呼び出し中の呼、緊急通報に用いられる呼などがある。呼び出し中の呼は、呼出中呼または確立中呼とも言う。緊急通報に用いられる呼は、緊急呼または通話中呼とも言う。
【００２２】
実施形態の無線通信装置１は、無線通信装置１、および無線通信網１００におけるＳＲＶＣＣ機能のサポート要件が異なるために、呼切断が起きたとき、呼切断前の呼状態を自動で復元する機能を備えることにより、ユーザの利便性を向上するものである。また、実施形態の無線通信装置１は、単に、無線通信装置１、および無線通信網１００の無線品質の悪化による無線同期はずれが発生し、呼切断が起きたときにも、無線品質の回復時に呼切断前の呼状態を自動で復元し、ユーザの利便性を向上することもできる。
【００２３】
以下の説明では、無線通信装置１、および無線通信網１００におけるＳＲＶＣＣ機能のサポート要件が異なるため、呼切断が起きたときにおける、無線通信装置１の処理を一例として説明する。
【００２４】
図２は、無線通信装置の一実施例を示す機能ブロック図である。
図２を参照して、実施形態の無線通信装置１について説明する。
【００２５】
無線通信装置１は、制御部１０と、記憶部２０と、表示部３０と、入出力部４０と、送受信部５０とを備える。無線通信装置１〜無線通信装置３は、例えば、後述するコンピュータ装置５００である。
【００２６】
制御部１０は、処理部１１と、検索部１２と、待受部１３と、復元部１４と、受付部１５と、切替部１６とを含む。記憶部２０は、識別情報２１と、状態情報２２と、設定情報２３と、宛先情報２４とを含む情報を記憶する。
【００２７】
識別情報２１は、位置登録時に用いられるユーザの識別情報を格納する。そして、ユーザの識別情報は、位置登録時に位置登録要求と共に無線通信装置１から無線通信網１００に送信される。ユーザの識別情報は、例えば、ＩＭＳＩである。ＩＭＳＩは、Ｉｎｔｅｒｎａｔｉｏｎａｌ  Ｍｏｂｉｌｅ  Ｓｕｂｓｃｒｉｂｅｒ  Ｉｄｅｎｔｉｔｙの略である。
【００２８】
状態情報２２が格納する情報は、図３を用いて後述する。無線通信装置１は、無線同期外れなどにより呼切断が発生したとき、その時の呼状態を状態情報２２に格納する。これにより、無線通信装置１は、無線再同期後に、状態情報２２に格納された呼状態を参照し、切断呼を復元する。無線再同期とは、呼切断後に、無線通信網１００に属するいずれかの基地局と無線通信装置１とが同期すること言う。このとき、無線通信装置１は、呼切断前に同期していた基地局以外の基地局と同期しても良い。
【００２９】
設定情報２３は、呼切断後に自動で呼を確立した後に、呼を保留するか、呼を通話中とするかの設定を格納した第１設定情報を格納する。さらに、設定情報２３は、着信した呼の呼状態を復元するか否かの設定を格納した第２設定情報を格納する。以下の説明では、第１設定情報２３は、記憶部２０に記憶された第１設定情報２３とも言う。第２設定情報は、記憶部２０に記憶された第２設定情報とも言う。
【００３０】
宛先情報２４は、通信先の無線通信装置の宛先を格納する。宛先情報２４は、例えば、複数の無線通信装置の電話番号を格納しても良い。以下の説明では、宛先情報２４は、無線通信装置１において、電話帳登録されている１以上の電話番号を格納しているものとして説明する。
【００３１】
表示部３０は、制御部１０から入力された情報を表示する。入出力部４０は、ユーザや接続された機器からの情報の入力を受け付ける。また、入出力部４０は、制御部１０から出力される情報を接続された機器に出力する。送受信部５０は、通信接続された機器から情報を受信する。さらに、送受信部５０は、通信接続された機器へ情報を送信する。
【００３２】
処理部１１は、呼切断前の呼状態を記憶部２０に記憶させる処理をする。さらに、処理部１１は、呼状態と呼の宛先とを関連付けて記憶部２０に記憶させる処理をする。処理部１１は、呼切断が発生したとき、呼切断前の呼状態と、呼の宛先とを関連付けて記憶部２０に記憶させても良い。また、処理部１１は、呼状態が変化するごとに、記憶部２０に現状の呼状態と、呼の宛先とを関連付けて記憶部２０に記憶させても良い。これにより、記憶部２０は、呼切断したとき、呼切断前の呼状態と、各呼の宛先とを関連付けた状態情報２２を記憶した状態となる。そして、記憶部２０は、少なくとも後述する切断呼復元処理において参照されるまでの間、状態情報２２を保持する。
【００３３】
図３は、状態情報の一例を示す図である。
図３を参照して、状態情報２２に格納される呼状態と宛先とを含む情報を説明する。
【００３４】
状態情報２２は、無線通信装置１の呼状態を示す情報であり、番号と、通信状態と、向きと、保留状態と、タイプと、宛先とが関連付けて格納される。
【００３５】
番号は、状態情報２２の各レコードを識別する識別子である。各レコードは、それぞれ番号で識別される対象の呼の状態を示す情報が格納される。以下の説明では、番号で識別される対象の呼を、単に対象の呼とも言う。
【００３６】
通話状態は、対象の呼が通話中、確立中、およびアイドル中などのいずれの状態であるのかを示す情報である。通話中は、通話確立から終話までの間を示す。確立中は、呼発信から通話確立までの間を示す。アイドル中は、通話中と確立中以外のときを示す。以下の説明では、通話中の呼は、通話中呼とも言う。確立中の呼は、確立中呼とも言う。また、アイドル中の呼は、アイドル中呼とも言う。
【００３７】
向きは、対象の呼を、無線通信装置１が発信しているのか、着信しているかを示す情報である。発信は、無線通信装置１が呼を発信していることを示す。着信は、無線通信装置１が呼を着信していることを示す。発信している呼は、発信呼とも言う。着信している呼は、着信呼とも言う。
【００３８】
保留状態は、対象の呼が保留中であるか否かを示す情報である。保留中は、呼が保留中であることを示す。保留中は、通話中に通話が保留されていることを示す。以下の説明では、保留中の呼は、保留中呼とも言う。
【００３９】
タイプは、対象の呼が、音声通話であるか、画像または動画と音声とを同時に通信するビデオ通話であるかを示す情報である。音声＿ＩＰは、対象の呼が音声通話であることを示す。ＶＴ＿ＩＰは、対象の呼がビデオ通話であることを示す。
【００４０】
宛先は、対象の呼の宛先を示す。宛先とは、呼の発信先の無線通信装置の電話番号などである。以下の説明では、呼の発信先の無線通信装置のことを、無線通信装置２とも言う。
【００４１】
ここで、状態情報２２の各レコードに格納されている情報は、どのような呼状態を示しているのかを説明する。
【００４２】
番号１で識別される呼は、宛先Ａで識別される宛先の無線通信装置２に対して、無線通信装置１から発信した呼により、通話確立し、音声通話中であることを示している。したがって、番号１で識別されるレコードに格納されている情報は、呼状態が、通話中を示す通話中状態であることを示している。以下の説明では、呼状態が、通話中状態であることを示す情報が状態情報２２に格納されていることを、記憶部２０に通話中状態が記憶されている、または状態情報２２に通話中状態が格納されているとも言う。
【００４３】
番号２で識別される呼は、宛先Ｂで識別される宛先の無線通信装置２から、無線通信装置１に発信した呼により、ビデオ通話を確立し、その後保留中であることを示している。したがって、番号２で識別されるレコードに格納されている情報は、呼状態が、保留中を示す保留中状態であることを示している。以下の説明では、呼状態が、保留中状態であることを示す情報が状態情報２２に格納されていることを、記憶部２０に保留中状態が記憶されている、または状態情報２２に保留中状態が格納されているとも言う。
【００４４】
番号３で識別されるレコードに格納されている情報は、呼状態が、アイドル中を示すアイドル中状態であることを示している。以下の説明では、呼状態が、アイドル中状態であることを示す情報が状態情報２２に格納されていることを、記憶部２０にアイドル中状態が記憶されている、または状態情報２２にアイドル中状態が格納されているとも言う。
【００４５】
図示しないが、状態情報２２のレコードには、例えば、番号に「４」、通話状態に「確立中」、向きに「発信」、保留状態は「−」、タイプに「音声＿ＩＰ」、及び宛先に「Ｃ」が格納されても良い。このとき、番号４で識別される呼は、宛先Ｃで識別される宛先の無線通信装置２に対して、無線通信装置１から発信した呼による、音声通話の確立中であることを示している。したがって、番号４で識別されるレコードに格納されている情報は、呼状態が、確立中を示す確立中状態であることを示している。以下の説明では、呼状態が、確立中状態であることを示す情報が状態情報２２に格納されていることを、記憶部２０に確立中状態が記憶されている、または状態情報２２に確立中状態が格納されているとも言う。
【００４６】
図２を参照して説明する。
検索部１２は、呼切断が発生したとき、通信可能な基地局を検索する。通信可能な基地局とは、無線通信装置１との無線品質が良好な基地局である。このとき、検索部１２は、無線通信装置１との無線品質が最も良い基地局を検索しても良い。
【００４７】
検索部１２は、第１通信網から第２通信網へハンドオーバを実行したとき、呼切断が発生すると、通信可能な基地局を検索する。第１通信網と、第２通信網とは、互いのＲＡＴが異なる通信網である。第１通信網がＬＴＥ網２００であるとき、第２通信網は、例えば、３Ｇ網３００である。第１通信網が３Ｇ網３００であるとき、第２通信網は、例えば、ＬＴＥ網２００である。これにより、検索部１２は、ＳＲＶＣＣが起動せずに呼切断となったとき、待受部１３に発見した基地局で待ち受けをさせるための、通信可能な基地局を発見する。
【００４８】
待受部１３は、検索部１２により発見された通信可能な基地局で待ち受けをする。以下の説明において、ＬＴＥ網２００および３Ｇ網３００では、ＬＴＥ位置登録エリアと３Ｇ位置登録エリアとの対応関係を用いて、無線通信装置１がＬＴＥ位置登録するとき、３Ｇ位置登録を連携して実行する連携位置登録をしているものとする。
【００４９】
なお、待受部１３は、連携位置登録がされていないとき、接続されたＬＴＥ網２００のＨＳＳまたは３Ｇ網３００のＨＬＲに位置登録し、検索部１２により発見された通信可能な基地局で待ち受けをしても良い。ＨＳＳは、ＬＴＥ網２００において、携帯電話番号や端末識別番号などのユーザ情報を管理するデータベースであり、Ｈｏｍｅ  Ｓｕｂｓｃｒｉｂｅｒ  Ｓｅｒｖｅｒの略である。ＨＬＲは、３Ｇ網３００において、携帯電話番号や端末識別番号などのユーザ情報を管理するデータベースＨｏｍｅ  Ｌｏｃａｔｉｏｎ  Ｒｅｇｉｓｔｅｒの略である。
【００５０】
復元部１４は、呼切断が発生したあと、待受部１３により待ち受けが開始されたとき、記憶部２０に記憶されている呼状態を復元する。このとき、復元部１４は、呼切断が発生したあと、待受部１３により待ち受けが開始されたとき、記憶部２０に保留中を示す保留状態が記憶されていると、保留状態に関連付けられた宛先に呼を送信し、呼の確立後に呼を保留する。
【００５１】
復元部１４は、呼切断が発生したあと、待受部１３により待ち受けが開始されたとき、記憶部２０に通話中状態、または確立中状態が記憶され、さらに記憶部２０に保留中状態が記憶されていると、保留中状態に関連付けられた宛先に呼を送信し、呼の確立後に呼を保留する。そして、復元部１４は、記憶部２０に記憶された通話中状態、または確立中状態に関連付けられた宛先に呼を送信する。
【００５２】
復元部１４は、保留中状態に関連付けられた宛先に呼を送信し、呼の確立後に呼を保留するとき、呼を保留することを宛先の無線通信装置２のユーザに通知したあと、呼を保留しても良い。さらに、復元部１４は、保留中状態に関連付けられた宛先に呼を送信し、呼の確立後に呼を保留するとき、呼を保留することを無線通信装置１のユーザに通知したあと、呼を保留しても良い。
【００５３】
復元部１４は、保留中状態に関連付けられた宛先に呼を送信し、呼の確立後に、呼の状態を、記憶部２０に記憶された第１設定情報に設定された呼状態にしても良い。復元部１４は、第１設定情報に呼を保留する設定が格納されているとき、呼の確立後に、呼を保留中状態にする。また、復元部１４は、第１設定情報に呼を通話中とする設定が格納されているとき、呼の確立後に、呼を通話中状態にする。
【００５４】
復元部１４は、着信した呼の呼切断が発生したとき、記憶部２０に記憶された第２設定情報に着信した呼の呼状態の復元することが設定されていると、着信した呼の呼状態を復元する。また、復元部１４は、着信した呼の呼切断が発生したとき、記憶部２０に記憶された第２設定情報に着信した呼の呼状態を復元しないことが設定されていると、着信した呼の呼状態を復元しない。
【００５５】
復元部１４は、着信した呼の呼切断が発生したとき、記憶部２０に記憶された宛先の中に、着信した呼の発信元の宛先があると、着信した呼の呼状態を復元する。記憶部２０に記憶された宛先とは、宛先情報２４に格納された宛先であり、例えば、電話帳に登録された電話番号のことである。着信した呼の宛先は、例えば、電話番号である。
【００５６】
受付部１５は、呼の確立後に、呼を保留するか、呼を通話中とするかのユーザからの指示を受け付ける。そして、復元部１４は、呼の確立後に、呼の状態を、受付部１５により受け付けられた呼状態にする。受付部１５は、呼を保留するか、呼を通話中とするかのユーザからの指示を受け付けるとき、選択するための情報を表示部３０に表示しても良い。このとき、受付部１５は、例えば、図４（ａ）に示すように、「呼を保留する」、および「呼を通話中にする」などのアイコンを表示部３０に表示し、ユーザからの入力を受け付けても良い。
【００５７】
そして、復元部１４は、入出力部４０を介してユーザから入力された指示にしたがい、呼状態を変更しても良い。このとき、受付部１５は、表示部３０に図４（ａ）に示すように「呼を保留する」、または「呼を通話中にする」を表示させ、ユーザにより１または２のキー入力を受け付けても良い。そして、復元部１４は、ユーザにより１が入力されたとき、呼を保留し、ユーザにより２が入力されたとき、呼を通話中にしても良い。
【００５８】
また、受付部１５は、表示部３０がタッチパネルの機能を有するとき、図４（ａ）に示すように「呼を保留する」、または「呼を通話中にする」を表示部３０に表示させ、ユーザのタッチ入力を受け付けても良い。そして、復元部１４は、受付部１５により、「呼を保留する」がタッチされたことが受け付けられたとき、呼を保留し、ユーザにより「呼を通話中にする」がタッチされたことが受け付けられたとき、呼を通話中にしても良い。
【００５９】
受付部１５は、着信した呼の呼切断が発生したとき、呼状態を復元するか否かの指示を受け付ける。復元部１４は、着信した呼の呼切断が発生したあと、受付部１５により、呼状態を復元することが受け付けられたとき、着信した呼の呼状態を復元する。受付部１５は、呼状態を復元するか否かの指示を受け付けるとき、選択するための情報を表示部３０に表示しても良い。このとき、受付部１５は、例えば、図４（ｂ）に示すように、「呼状態を復元する」、および「呼状態を復元しない」などのアイコンを表示部３０に表示し、ユーザからの入力を受け付けても良い。
【００６０】
そして、復元部１４は、入出力部４０を介してユーザから入力された指示にしたがい、呼状態を復元しても良い。このとき、受付部１５は、表示部３０に図４（ｂ）に示すように「呼状態を復元する」、または「呼状態を復元しない」を表示させ、ユーザにより１または２のキー入力を受け付けても良い。そして、復元部１４は、ユーザにより１が入力されたとき、呼状態を復元し、ユーザにより２が入力されたとき、呼状態を復元せずに通話を終了しても良い。
【００６１】
また、受付部１５は、表示部３０がタッチパネルの機能を有するとき、図４（ｂ）に示すように「呼状態を復元する」、または「呼状態を復元しない」を表示部３０に表示させ、ユーザのタッチ入力を受け付けても良い。そして、復元部１４は、受付部１５により、「呼状態を復元する」がタッチされたことが受け付けられたとき、呼状態を復元し、ユーザにより「呼状態を復元しない」がタッチされたことが受け付けられたとき、呼状態を復元しなくても良い。
【００６２】
図２を参照して説明する。
切替部１６は、第１規格で無線通信を行う第１通信網から第２規格で無線通信を行う第２通信網へハンドオーバを実行し、無線通信を行う通信網を切替える。第１規格とは、例えば、ＬＴＥ網２００である。第２規格とは、例えば、３Ｇ網３００である。なお、第１規格は、３Ｇ網３００でも良い。このとき、第２規格は、ＬＴＥ網２００でも良い。
【００６３】
図５、図６は、ＬＴＥ網内での通話継続処理を示すシーケンス図である。
図５を参照して、無線通信装置１が、無線通信装置２とのＶｏＬＴＥ通信中に無線同期外れが発生したとき、無線再接続を行ない、無線通信装置２とのＶｏＬＴＥ通信を再開する処理について説明する。
【００６４】
図５の各ブロックが示す装置について説明する。図５において、図１、図２で説明した装置と同じ装置には、同じ符号を付す。ＵＥ１は、Ｕｓｅｒ  Ｅｑｕｉｐｍｅｎｔの略であり、例えば、無線通信装置１である。ＲＡＮ１００は、Ｒａｄｉｏ  Ａｃｃｅｓｓ  Ｎｅｔｗｏｒｋの略であり、例えば、無線通信網１００である。ＲＮＣ３０３は、Ｒａｄｉｏ  Ｎｅｔｗｏｒｋ  Ｃｏｎｔｒｏｌｌｅｒの略であり、３Ｇ網３００においてＮＢ３０２と接続され、ハンドオーバの制御、およびＮＢ３０２とコアネットワーク４００との間の通信の中継などを行なう。ｅＮＢ２０２は、ＲＮＣ３０３の機能をコアと分散して実現するノードである。ＣＮ４００は、Ｃｏｒｅ  Ｎｅｔｗｏｒｋの略である。そして、ＵＥ１、ｅＮＢ２０２、およびＲＮＣ３０３は、例えば、後述するコンピュータ装置５００である。
【００６５】
以下の説明では、ＵＥ１のことを無線通信装置１とも言う。ｅＮＢ２０２は、ＲＮＣ３０３と同じ機能を含むものとして説明する。また、Ｓ１０１〜Ｓ１０９の処理は、各装置の制御部が実行しているものとする。
【００６６】
無線通信装置１は、無線通信装置２とのＶｏＬＴＥ通信中に（Ｓ１０１）、無線品質の悪化などにより、ｅＮＢ２０２との無線通信において、無線同期外れが生じると（Ｓ１０２）、無線再接続処理を開始する（Ｓ１０３）。
【００６７】
無線通信装置１は、無線再接続処理を開始すると、タイマを起動する（Ｓ１０４）。タイマは、例えば、Ｔ３１１タイマである。Ｔ３１１タイマは、無線再接続時に用いられるタイマである。無線通信装置１は、Ｔ３１１で設定されている時間が経過しても、無線再同期が完了しないとき、無線再接続処理を終了し、終話する処理を実行する。以下の説明では、無線通信装置１とｅＮＢ２０２とが無線再同期を成功するものとして説明する。
【００６８】
無線通信装置１は、例えば、無線品質の良いＬＴＥセルを検索する。そして、無線通信装置１は、発見された無線品質の良いＬＴＥセルを有するｅＮＢ２０３に同期信号を送信し、通信に用いるセル内の電波の周波数と、受信タイミングと、ｅＮＢ２０３を識別するセルＩＤとを取得することにより無線再同期を行なう（Ｓ１０５）。無線品質の良いＬＴＥセルを有するｅＮＢ２０２とは、例えば、Ｓ１０１において、無線通信をしていたｅＮＢ２０２と異なる、図示しないｅＮＢ２０３でも良い。Ｓ１０２で無線同期外れが生じたあと、Ｓ１０１において、無線通信をしていたｅＮＢ２０２のセルの無線品質が回復したとき、無線通信装置１は、無線品質の良いＬＴＥセルを有するｅＮＢ２０２として、Ｓ１０１で無線通信をしていたｅＮＢ２０２を選択しても良い。以下の説明において、無線通信装置１は、ｅＮＢ２０３と無線再同期をするものとする。
【００６９】
無線通信装置１は、無線再同期が完了すると、ｅＮＢ２０３にＲＲＣ  Ｃｏｎｎｅｃｔｉｏｎ  Ｒｅ-ｅｓｔａｂｌｉｓｈｍｅｎｔ  Ｒｅｑｕｅｓｔ（再接続要求信号）を送信する（Ｓ１０６）。ｅＮＢ２０３は、再接続要求信号を受信すると、無線通信装置１にＲＲＣ  Ｃｏｎｎｅｃｔｉｏｎ  Ｒｅ-ｅｓｔａｂｌｉｓｈｍｅｎｔ（接続再確立信号）を送信する（Ｓ１０７）。無線通信装置１は、接続再確立信号を受信すると、ｅＮＢ２０３にＲＲＣ  Ｃｏｎｎｅｃｔｉｏｎ  Ｒｅ-ｅｓｔａｂｌｉｓｈｍｅｎｔ  ｃｏｍｐｌｅｔｅ（接続再確立完了信号）を送信する（Ｓ１０８）。
【００７０】
無線通信装置１は、Ｓ１０６〜Ｓ１０８の処理を実行することにより、ｅＮＢ２０３との接続を確立すると、無線通信装置２とのＶｏＬＴＥ通信を再開する（Ｓ１０９）。
【００７１】
上述のように、無線通信装置１は、無線同期外れが生じたとき、無線品質の良いＬＴＥセルを検索し、発見されたＬＴＥセルを有するｅＮＢと無線再接続を行なうことで、ＶｏＬＴＥ通信による通話を継続することができる。
【００７２】
次に、図６を参照して、無線通信装置１が、無線通信装置２とのＶｏＬＴＥ通信中に無線同期外れが発生したとき、ＬＴＥ網２００内で無線再接続処理を行ない、無線再同期を失敗するときの処理について説明する。図６の各ブロックが示す装置は、図５の各ブロックが示す装置と同じなので説明を省略する。
【００７３】
以下の説明では、Ｓ２０１〜Ｓ２０６の処理は、各装置の制御部が実行しているものとする。
【００７４】
無線通信装置１は、無線通信装置２とのＶｏＬＴＥ通信中に（Ｓ２０１）、無線品質の悪化などにより、ｅＮＢ２０２との無線通信において、無線同期外れが生じると（Ｓ２０２）、無線再接続処理を開始する（Ｓ２０３）。
【００７５】
無線通信装置１は、無線再接続処理を開始すると、タイマを起動する（Ｓ２０４）。タイマは、例えば、Ｔ３１１タイマである。
【００７６】
無線通信装置１は、Ｔ３１１で設定されている時間が経過しても無線再同期が完了しないとき、無線再同期が失敗したと判定する（Ｓ２０５）。無線再同期が完了しないときは、無線通信装置１が無線再同期をするために、無線品質の良いＬＴＥセルを検索したとき、Ｔ３１１で設定されている時間が経過しても、無線品質の良いＬＴＥセルが発見されない場合などに発生する。
【００７７】
そして、無線通信装置１は、無線再同期が失敗したと判定すると、終話する処理をし、アイドル状態に移行する（Ｓ２０６）。
【００７８】
上述のように、無線通信装置１は、無線同期外れが生じたとき、無線品質の良いＬＴＥセルを検索し、無線品質の良いＬＴＥセルが発見されないとき、終話する処理をするので、呼切断が発生する。
【００７９】
このような無線同期外れが発生しうる環境下においては、無線通信装置１は、ＳＲＶＣＣの機能を用いて、ＬＴＥ網２００から３Ｇ網３００に無線通信先を切替えて、ハンドオーバを行なうことにより、通話を継続することができる。しかし、無線通信装置１よりも無線通信網１００がＳＲＶＣＣの機能においてサポートする呼状態が少ないとき、無線品質の良い３Ｇセル３０１があっても、ＳＲＶＣＣが起動せずに、呼切断が発生することがある。
【００８０】
実施形態の無線通信装置１は、上述の場合において、呼切断が起きたとき、３Ｇ網３００を用いて通話を再開し、呼切断前の呼状態を自動で復元し、ユーザの利便性を向上するというものである。
【００８１】
図７は、他ＲＡＴへの再接続を示すフローチャートである。
図７を参照して、実施形態の無線通信装置１が、無線通信装置１と無線通信網１００とのＳＲＶＣＣの機能においてサポートする呼状態が異なるために、呼切断が発生したあと、呼切断前の呼状態を自動で復元する、無線通信処理を説明する。図７の各ブロックが示す装置は、図５の各ブロックが示す装置と同じなので説明を省略する。
【００８２】
以下の説明では、Ｓ３０１〜Ｓ３１２の処理は、各装置の制御部が実行しているものとする。
【００８３】
無線通信装置１は、無線通信装置２とのＶｏＬＴＥ通信中に（Ｓ３０１）、無線品質の悪化などにより、ｅＮＢ２０２との無線通信において、無線同期外れが生じると（Ｓ３０２）、無線再接続処理を開始する（Ｓ３０３）。
【００８４】
無線通信装置１は、Ｓ３０２で無線同期外れが生じたことにより、呼切断が発生したことを検出すると、呼状態を記憶部２０に記憶する（Ｓ３０４）。このとき、呼状態は、例えば、記憶部２０に記憶されている状態情報２２のレコードに格納される。そして、無線通信装置１は、タイマを起動する（Ｓ３０５）。タイマは、例えば、Ｔ３１１タイマである。
【００８５】
無線通信装置１は、無線品質の良いＬＴＥセルを検索する。無線通信装置１は、Ｔ３１１で設定されている時間が経過しても、無線品質の良いＬＴＥセルが発見されずに無線再同期が完了しないとき、無線再同期が失敗したと判定する（Ｓ３０６）。
【００８６】
すると、無線通信装置１は、他ＲＡＴ接続処理を開始し（Ｓ３０７）、無線品質の良い３Ｇセルを検索する。以下の説明において、無線通信装置１は、無線品質の良い３Ｇセルとして、３Ｇセル３０１を発見したものとして説明する。
【００８７】
そして、無線通信装置１は、発見された無線品質の良い３Ｇセル３０１を有するＮＢ３０２に対し無線再同期を行なう（Ｓ３０８）。
【００８８】
無線通信装置１は、無線再同期が完了すると、ＮＢ３０２を介してＲＮＣ３０３にＲＲＣ  Ｃｏｎｎｅｃｔｉｏｎ  Ｒｅｑｕｅｓｔを送信する（Ｓ３０９）。ＲＮＣ３０３は、再接続要求信号を受信すると、ＮＢ３０２を介して、無線通信装置１にＲＲＣ  Ｃｏｎｎｅｃｔｉｏｎ  Ｓｅｔ  ｕｐを送信する（Ｓ３１０）。無線通信装置１は、接続再確立信号を受信すると、ＮＢ３０２を介してＲＮＣ３０３にＲＲＣ  Ｃｏｎｎｅｃｔｉｏｎ  Ｓｅｔ  ｕｐ  ｃｏｍｐｌｅｔｅを送信する（Ｓ３１１）。
【００８９】
無線通信装置１は、Ｓ３０９〜Ｓ３１１の処理を実行し、ＮＢ３０２との無線接続を確立すると、切断呼復元処理を実行する（Ｓ３１２）。切断呼復元処理は、図８、図９を参照して後述する。
【００９０】
無線通信装置１は、切断呼復元処理において、切断呼が復元されると、復元された呼を用いて、ＣＳ通信による音声通話を行なう（Ｓ３１３）。
【００９１】
上述のように、無線通信装置１は、無線通信装置１と無線通信網１００とのＳＲＶＣＣの機能においてサポートする呼状態が異なることにより、呼切断前の呼状態が復元されず、そのまま呼切断となるとき、切断呼復元処理を実行することにより、呼状態を復元することができる。
【００９２】
図８、図９は、切断呼復元処理を示すフローチャートである。
図８、図９を参照して、無線通信装置１の切断呼復元処理を説明する。以下の説明では、ＬＴＥ網２００から３Ｇ網３００へ再接続を実行し、無線通信を行う通信網を切替えた場合の切断呼復元処理を一例として説明する。なお、切断呼復元処理は、単に無線品質の低下などによる呼切断が発生したときにも適用することができる。
【００９３】
図８を参照して説明する。
制御部１０は、呼切断が発生したか否かを判定する（Ｓ４０１）。制御部１０は、呼切断が発生しないとき（Ｓ４０１にてＮｏ）、Ｓ４０１の処理を繰り返す。このとき、無線通信装置１は、図７のＳ３０１のＶｏＬＴＥ通信中の処理を実行している。
【００９４】
制御部１０は、呼切断が発生すると（Ｓ４０１にてＹｅｓ）、呼切断前の呼状態を記憶部２０に記憶させる（Ｓ４０２）。このとき、制御部１０は、呼切断前の呼状態を状態情報２２に格納する。Ｓ４０２の処理は、図７のＳ３０４の処理に対応する。
【００９５】
そして、制御部１０は、通信可能な基地局を検索し（Ｓ４０３）、発見された通信可能な基地局で待ち受けを開始する（Ｓ４０４）。このとき、選択された基地局は、３Ｇ網３００のＮＢ３０２であるものとする。そして、Ｓ４０３と、Ｓ４０４とは、図７のＳ３０５〜Ｓ３１１の処理に対応する。
【００９６】
そして、制御部１０は、Ｓ４０５〜Ｓ４１２の処理を実行することにより、記憶部２０に記憶されている呼状態を復元する。
【００９７】
制御部１０は、保留呼が切断されたか否かを判定する（Ｓ４０５）。制御部１０は、状態情報２２を参照し、保留中状態の呼があるとき、保留呼が切断されたと判定し（Ｓ４０５にてＹｅｓ）、保留呼の宛先の無線通信装置２に呼を発信する（Ｓ４０６）。制御部１０は、状態情報２２を参照し、保留中状態の呼がないとき、保留呼が切断されていないと判定し（Ｓ４０５にてＮｏ）、後述する図９のＳ４１１の処理を実行する。
【００９８】
図９を参照して説明する。
制御部１０は、宛先の無線通信装置２との呼が確立されたか否かを判定する（Ｓ４０７）。制御部１０は、宛先の無線通信装置２との呼が確立されないとき（Ｓ４０７にてＮｏ）、宛先の無線通信装置２に呼を発信してから、所定時間が経過したか否かを判定する（Ｓ４０８）。
【００９９】
制御部１０は、Ｓ４０８において、所定時間が経過していないとき（Ｓ４０８にてＮｏ）、Ｓ４０７の処理を実行する。また、制御部１０は、Ｓ４０８において、所定時間が経過したとき（Ｓ４０８にてＹｅｓ）、後述するＳ４１１の処理を実行する。Ｓ４０８の判定に用いる所定時間は、例えば、図２に示す設定情報２３に格納されていても良い。
【０１００】
制御部１０は、宛先の無線通信装置２との呼が確立したとき（Ｓ４０７にてＹｅｓ）、宛先の無線通信装置２に確立した呼を保留呼にすることを通知する（Ｓ４０９）。そして、制御部１０は、確立した呼を保留呼に切替える（Ｓ４１０）。なお、Ｓ４０９において、無線通信装置１は、無線通信装置１のユーザに確立した呼を保留呼にすることを通知しても良い。呼を保留呼にすることの通知は、例えば、記憶部２０に予め記憶させた音声を再生することにより行っても良いし、無線通信装置が有する表示部に文字、および図形のいずれか１以上の表示により行っても良い。
【０１０１】
次に、制御部１０は、通話呼が切断されたか否かを判定する（Ｓ４１１）。制御部１０は、状態情報２２を参照し、通話中状態の呼があるとき、通話呼が切断されたと判定し（Ｓ４１１にてＹｅｓ）、通話呼の宛先の無線通信装置２に呼を発信する（Ｓ４１２）。これにより、制御部１０は、呼が確立されると、ＣＳ通信による通話を開始する。そして、制御部１０は、呼切断復元処理を終了する。
【０１０２】
また、Ｓ４１１において、制御部１０は、状態情報２２を参照し、通話中状態の呼がないとき、通話呼が切断されていないと判定し（Ｓ４１１にてＮｏ）、呼切断復元処理を終了する。
【０１０３】
図１０は、コンピュータ装置の一実施例を示すブロック図である。
図１０を参照して、コンピュータ装置５００の構成について説明する。
【０１０４】
図１０において、コンピュータ装置５００は、制御回路５０１と、記憶装置５０２と、読書装置５０３と、記録媒体５０４と、通信インターフェイス５０５と、入出力インターフェイス５０６と、表示装置５０７と、入力装置５０８と、マイク５０９と、スピーカ５１０とを含む。また、通信インターフェイス５０５は、ネットワーク５１１と接続されている。そして、各構成要素は、バス５１２により接続されている。
【０１０５】
制御回路５０１は、コンピュータ装置５００全体の制御をする。そして、制御回路５０１は、例えば、ＣＰＵ、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ  Ｄｅｖｉｃｅ）などのプロセッサである。制御回路５０１は、例えば、図２において、制御部１０として機能する。また、制御回路５０１は、例えば、図５〜図７のｅＮＢ２０２、およびＲＮＣ３０３の図示しない制御部として機能する。なお、図２において、記憶部２０に記憶された識別情報２１と、状態情報２２と、設定情報２３と、宛先情報２４とは、例えば、ＣＰＵ、ＦＰＧＡ、およびＰＬＤのキャッシュに記憶されても良い。
【０１０６】
記憶装置５０２は、各種データを記憶する。そして、記憶装置５０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤなどである。記憶装置５０２は、例えば、図２において、記憶部２０として機能する。
【０１０７】
また、ＲＯＭは、ブートプログラムなどのプログラムを記憶している。ＲＡＭは、制御回路５０１のワークエリアとして使用される。ＨＤは、ＯＳ、アプリケーションプログラム、ファームウェアなどのプログラム、および各種データを記憶している。
【０１０８】
記憶装置５０２は、例えば、制御回路５０１を、制御部１０として機能させる無線通信プログラムを記憶する。
【０１０９】
無線通信装置１は、記憶装置の制御をするとき、記憶装置５０２に記憶された無線通信プログラムをＲＡＭに読み出す。ＲＡＭに読み出された無線通信プログラムを制御回路５０１で実行することにより、無線通信装置１は、記憶させる処理と、検索処理と、待受処理と、受付処理と、切替処理と、図８、図９を参照して説明した切断呼復元処理との１以上を含む無線通信処理を実行する。
【０１１０】
なお、無線通信プログラムは、制御回路５０１が通信インターフェイス５０５を介してアクセス可能であれば、ネットワーク５１１上のサーバが有する記憶装置に記憶されていても良い。
【０１１１】
読書装置５０３は、制御回路５０１に制御され、着脱可能な記録媒体５０４のデータのリード／ライトを行なう。そして、読書装置５０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ（登録商標）  Ｄｉｓｋ  Ｄｒｉｖｅ）およびＵＳＢ（Ｕｎｉｖｅｒｓａｌ  Ｓｅｒｉａｌ  Ｂｕｓ）などである。
【０１１２】
記録媒体５０４は、各種データを保存する。記録媒体５０４は、例えば、無線通信プログラムを記憶する。さらに、記録媒体５０４は、図２に示す、識別情報２１と、状態情報２２と、設定情報２３と、宛先情報２４とを記憶しても良い。
【０１１３】
そして、記録媒体５０４は、読書装置５０３を介してバス５１２に接続され、制御回路５０１が読書装置５０３を制御することにより、データのリード／ライトが行なわれる。また、記録媒体５０４は、例えば、ＳＤメモリーカード（ＳＤ  Ｍｅｍｏｒｙ  Ｃａｒｄ）、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ（登録商標）  Ｄｉｓｋ）、およびフラッシュメモリなどの非一時的記録媒体である。
【０１１４】
通信インターフェイス５０５は、ネットワーク５１１を介してコンピュータ装置５００と他の装置とを通信可能に接続する。そして、通信インターフェイス５０５は、例えば、図２において、送受信部５０として機能する。また、通信インターフェイス５０５は、無線ＬＡＮの機能を有するインターフェイス、および近距離無線通信機能を有するインターフェイスを含んでも良い。そして、無線ＬＡＮインターフェイスは、例えば、無線ＬＡＮ規格として、Ｗｉ−Ｆｉ（登録商標）をサポートしても良い。近距離無線インターフェイスは、例えば、近距離無線通信規格として、Ｂｌｕｅｔｏｏｔｈ（登録商標）をサポートしても良い。ＬＡＮは、Ｌｏｃａｌ  Ａｒｅａ  Ｎｅｔｗｏｒｋの略である。そして、通信インターフェイス５０５は、例えば、図２において、送受信部５０として機能する。
【０１１５】
入出力インターフェイス５０６は、例えば、キーボード、マウス、およびタッチパネルなどの入力装置５０８と接続され、接続された入力装置５０８から各種情報を示す信号が入力されると、バス５１２を介して入力された信号を制御回路５０１に出力する。また、入出力インターフェイス５０６は、制御回路５０１から出力された各種情報を示す信号がバス５１２を介して入力されると、接続された各種装置にその信号を出力する。入出力インターフェイス５０６は、例えば、ユーザにより入力される、確立した呼を通話呼にするか、保留呼にするかの選択、および呼を復元するか否かの選択などを含む指示を受け付けても良い。入出力インターフェイス５０６は、例えば、図２において、入出力部４０として機能する。
【０１１６】
表示装置５０７は、各種情報を表示する。表示部３０は、タッチパネルでの入力を受け付けるための情報を表示しても良い。表示装置５０７は、例えば、図２において、表示部３０として機能する。
【０１１７】
マイク５０９は、音を収音する。そして、マイク５０９は、図示しない音声ＤＳＰに、収音した音声を入力しても良い。ＤＳＰは、Ｄｉｇｉｔａｌ  Ｓｉｇｎａｌ  Ｐｏｃｅｓｓｏｒの略である。
【０１１８】
スピーカ５１０は、プロセッサからの要求に応じて、音楽、アラーム音、および音声などの各種音を出力する。そして、スピーカ５１０は、例えば、確立した呼を保留呼にすることを、ユーザに通知する。
【０１１９】
ネットワーク５１１は、例えば、ＬＡＮ、無線通信、またはインターネットなどであり、コンピュータ装置５００と他の装置を通信接続する。
【０１２０】
以上のように、実施形態の無線通信装置１は、呼切断したとき、呼切断前の呼状態を記憶し、通信可能な基地局を検索し、発見された基地局で待ち受けを開始すると、記憶した呼状態を復元する処理をする。これにより、無線通信装置１は、呼切断前の呼状態を自動で復元し、ユーザの利便性を向上することができる。
【０１２１】
実施形態の無線通信装置１は、呼切断をしたとき、呼切断前の呼状態と呼の宛先とを関連付けて記憶し、呼切断が発生したあと、待ち受けを開始すると、保留中を示す保留中状態が記憶されていると、保留中状態に関連付けられた宛先に呼を送信する。そして、無線通信装置１は、呼の確立後に呼を保留する。これにより、無線通信装置１は、保留中状態の呼を復元することができる。
【０１２２】
実施形態の無線通信装置１は、呼状態と呼の宛先とを関連付けて記憶し、呼切断が発生したあと、待ち受けを開始すると、記憶した呼状態を参照する。そして、無線通信装置１は、通話中を示す通話中状態、または確立中を示す確立中状態を記憶し、さらに保留中を示す保留中状態を記憶していると、保留中状態に関連付けられた宛先に呼を送信し、呼の確立後に呼を保留する。その後、無線通信装置１は、通話中状態、または確立中状態に関連付けられた宛先に呼を送信する。これにより、無線通信装置１は、切断呼復元処理を実行することができる。
【０１２３】
実施形態の無線通信装置１は、切断呼復元処理において、呼の確立後に、呼を保留することをユーザに通知したあと、呼を保留する。これにより、無線通信装置１は、ユーザに保留呼を復元したことを通知することができる。また、宛先の無線通信装置２は、着信呼による呼び出しに応答したユーザに、応答した呼を通話中状態ではなく保留中状態にすることを通知することができる。
【０１２４】
実施形態の無線通信装置１は、呼の確立後に、呼を保留するか、呼を通話中とするかのユーザからの指示を受け付け、呼の確立後に、呼の状態を、受け付けられた呼状態にする。これにより、無線通信装置１は、課金される通話中呼を復元するか否かを、ユーザに選択させることができる。
【０１２５】
実施形態の無線通信装置１は、呼の確立後に、呼を保留するか、呼を通話中とするかの設定を記憶し、呼の確立後に、呼の状態を、記憶した設定に応じた呼状態にする。これにより、無線通信装置１は、課金される通話中呼を復元するか否かなどを、予めユーザに選択させ、ユーザの好みの呼状態を自動で復元することができる。
【０１２６】
実施形態の無線通信装置１は、着信した呼の呼切断が発生したとき、呼状態を復元するか否かの指示を受け付ける。そして、無線通信装置１は、着信した呼の呼切断が発生したあと、呼状態を復元することが受け付けられたとき、着信した呼の呼状態を復元する。これにより、無線通信装置１は、ユーザから掛け直さなくても良い着信呼に対して、自動で呼状態を復元しないので、ユーザの利便性を向上することができる。
【０１２７】
実施形態の無線通信装置１は、着信した呼の呼状態を復元するか否かの設定を記憶し、着信した呼の呼切断が発生したとき、記憶した設定に、着信した呼の呼状態の復元することが設定されていると、着信した呼の呼状態を復元する。これにより、無線通信装置１は、ユーザから掛け直さなくても良い着信呼を予め設定可能にし、設定された着信呼について自動で呼状態を復元しないので、ユーザの利便性を向上することができる。
【０１２８】
実施形態の無線通信装置１は、通信先の無線通信装置２の宛先を記憶し、着信した呼の呼切断が発生したとき、記憶した宛先の中に、着信した呼の発信元の宛先があると、着信した呼の呼状態を復元する。これにより、無線通信装置１は、例えば、ユーザが掛け直さなくても良い可能性が高い、電話帳に宛先が登録されていない発信元の着信呼について、自動で呼状態を復元しないので、ユーザの利便性を向上することができる。
【０１２９】
実施形態の無線通信装置１は、呼切断したとき、呼切断前の呼状態を記憶し、第１規格で無線通信を行う第１通信網から第２規格で無線通信を行う第２通信網へハンドオーバを実行し、無線通信を行う通信網を切替える。そして、無線通信装置１は、第１通信網から第２通信網へハンドオーバを実行したとき、呼切断が発生すると、通信可能な基地局を検索する。また、無線通信装置１は、第２通信網に属する通信可能な基地局を検索し、発見された基地局で待ち受けを開始すると、記憶した呼状態を復元する処理をする。これにより、無線通信装置１は、無線通信装置１、および無線通信網１００におけるＳＲＶＣＣ機能のサポート要件が異なるため、呼切断が起きたときに、呼切断前の呼状態を自動で復元し、ユーザの利便性を向上することができる。
【０１３０】
なお、本実施形態は、以上に述べた実施形態に限定されるものではなく、本実施形態の要旨を逸脱しない範囲内で種々の構成または実施形態を取ることができる。
【０１３１】
以上記載した各実施例を含む実施形態に関し、さらに以下の付記を開示する。なお、本発明は、以下の付記に限定されるものではない。
（付記１）
情報を記憶する記憶部と、
呼切断前の呼状態を前記記憶部に記憶させる処理をする処理部と、
呼切断が発生したとき、通信可能な基地局を検索する検索部と、
前記検索部により発見された通信可能な基地局で待ち受けをする待受部と、
呼切断が発生したあと、前記待受部により待ち受けが開始されたとき、前記記憶部に記憶されている呼状態を復元する復元部と、
を備えることを特徴とする無線通信装置。
（付記２）
前記処理部は、
前記呼状態と呼の宛先とを関連付けて前記記憶部に記憶させる処理をし、
前記復元部は、
前記呼切断が発生したあと、前記待受部により待ち受けが開始されたとき、前記記憶部に保留中を示す保留中状態が記憶されていると、前記保留中状態に関連付けられた宛先に呼を送信し、呼の確立後に呼を保留する
ことを特徴とする付記１に記載の無線通信装置。
（付記３）
前記処理部は、
前記呼状態と呼の宛先とを関連付けて前記記憶部に記憶させる処理をし、
前記復元部は、
呼切断が発生したあと、前記待受部により待ち受けが開始されたとき、前記記憶部に通話中を示す通話中状態、または確立中を示す確立中状態が記憶され、さらに前記記憶部に保留中を示す保留中状態が記憶されていると、前記保留中状態に関連付けられた宛先に呼を送信し、呼の確立後に呼を保留し、前記通話中状態、または前記確立中状態に関連付けられた宛先に呼を送信する
ことを特徴とする付記１または２に記載の無線通信装置。
（付記４）
前記復元部は、
前記呼の確立後に、呼を保留することをユーザに通知したあと、呼を保留する
ことを特徴とする付記２に記載の無線通信装置。
（付記５）
前記無線通信装置は、さらに、
前記呼の確立後に、呼を保留するか、呼を通話中とするかのユーザからの指示を受け付ける受付部
を備え、
前記復元部は、
前記呼の確立後に、呼の状態を、前記受付部により受け付けられた呼状態にする
ことを特徴とする付記２または４に記載の無線通信装置。
（付記６）
前記記憶部は、
前記呼の確立後に、呼を保留するか、呼を通話中とするかの設定を格納した第１設定情報を記憶し、
前記復元部は、
前記呼の確立後に、呼の状態を、前記記憶部に記憶された第１設定情報に設定された呼状態にする
ことを特徴とする付記２または４に記載の無線通信装置。
（付記７）
前記無線通信装置は、さらに、
着信した呼の呼切断が発生したとき、呼状態を復元するか否かの指示を受け付ける受付部
を備え、
前記復元部は、
着信した呼の呼切断が発生したあと、前記受付部により、前記呼状態を復元することが受け付けられたとき、着信した前記呼の呼状態を復元する
ことを特徴とする付記１〜６のいずれか一つに記載の無線通信装置。
（付記８）
前記記憶部は、
着信した呼の呼状態を復元するか否かの設定を格納した第２設定情報を記憶し、
前記復元部は、
着信した呼の呼切断が発生したとき、前記記憶部に記憶された第２設定情報に着信した呼の呼状態の復元することが設定されていると、着信した前記呼の呼状態を復元する
ことを特徴とする付記１〜６のいずれか一つに記載の無線通信装置。
（付記９）
前記記憶部は、
通信先の無線通信装置の宛先を記憶し、
前記復元部は、
着信した呼の呼切断が発生したとき、前記記憶部に記憶された宛先の中に、前記着信した呼の発信元の宛先があると、着信した前記呼の呼状態を復元する
ことを特徴とする付記１〜６のいずれか一つに記載の無線通信装置。
（付記１０）
前記無線通信装置は、さらに、
第１規格で無線通信を行う第１通信網から第２規格で無線通信を行う第２通信網へハンドオーバを実行し、無線通信を行う通信網を切替える切替部
を備え、
前記検索部は、
前記第１通信網から前記第２通信網へハンドオーバを実行したとき、呼切断が発生すると、通信可能な基地局を検索する
ことを特徴とする付記１〜９のいずれか一つに記載の無線通信装置。
（付記１１）
無線通信装置のコンピュータにより実行される無線通信方法であって、
前記コンピュータは、
呼切断前の呼状態を記憶部に記憶させ、
呼切断が発生したとき、通信可能な基地局を検索し、
前記検索部により発見された通信可能な基地局で待ち受けをし、
前記記憶部に記憶されている呼状態を復元する
ことを特徴とする無線通信方法。
（付記１２）
前記コンピュータは、さらに、
第１規格で無線通信を行う第１通信網から第２規格で無線通信を行う第２通信網へハンドオーバを実行し、
無線通信を行う通信網を切替え、
前記検索処理は、
前記第１通信網から前記第２通信網へハンドオーバを実行したとき、呼切断が発生すると、通信可能な基地局を検索する
ことを特徴とする付記１１に記載の無線通信方法。
（付記１３）
呼切断前の呼状態を記憶部に記憶させ、
呼切断が発生したとき、通信可能な基地局を検索し、
前記検索部により発見された通信可能な基地局で待ち受けをし、
前記記憶部に記憶されている呼状態を復元する
処理をコンピュータに実行させることを特徴とする無線通信プログラム。
（付記１４）
第１規格で無線通信を行う第１通信網から第２規格で無線通信を行う第２通信網へハンドオーバを実行し、
無線通信を行う通信網を切替え、
前記検索処理は、
前記第１通信網から前記第２通信網へハンドオーバを実行したとき、呼切断が発生すると、通信可能な基地局を検索する
処理をコンピュータに実行させることを特徴とする付記１３に記載の無線通信プログラム。
【符号の説明】
【０１３２】
１〜３  無線通信装置
１０  制御部
１１  処理部
１２  検索部
１３  待受部
１４  復元部
１５  受付部
１６  切替部
２０  記憶部
３０  表示部
４０  入出力部
５０  送受信部
１００  無線通信網
２００  ＬＴＥ網
２０１  ＬＴＥセル
２０２  ｅＮＢ
３００  ３Ｇ網
３０１  ３Ｇセル
３０２  ＮＢ
４００  コアネットワーク
５００  コンピュータ装置
５０１  制御回路
５０２  記憶装置
５０３  読書装置
５０４  記録媒体
５０５  通信インターフェイス
５０６  入出力インターフェイス
５０７  表示装置
５０８  入力装置
５０９  マイク
５１０  スピーカ
５１１  ネットワーク
５１２  バス
【図１】
2016146559.tif 000003
【図２】
2016146559.tif 000004
【図３】
2016146559.tif 000005
【図４】
2016146559.tif 000006
【図５】
2016146559.tif 000007
【図６】
2016146559.tif 000008
【図７】
2016146559.tif 000009
【図８】
2016146559.tif 000010
【図９】
2016146559.tif 000011
【図１０】
2016146559.tif 000012